(57)【要約】ピアノの弱音装置（１）は、マフラーレール（１１０）と、単音緩衝部材（１２０）とを有し、通常演奏時の位置と弱音演奏時の位置との間を移動可能に構成されている。単音緩衝部材（１２０）は、複数のハンマーヘッド（２５）の夫々と一対一に対応して並列するように設けられる。通常演奏時において、ハンマーヘッド（２５）は、直接弦（５）を打撃する。また、弱音演奏時において、ハンマーヘッド（２５）は、ハンマーヘッド（２５）と弦（５）との間に介在する単音緩衝部材（１２０）を介して弦（５）を打撃する。
2013080370.tif 000002
【特許請求の範囲】
【請求項１】
複数のハンマーヘッドの夫々と一対一に対応して並列するように設けられた複数の緩衝部を備えるピアノの弱音装置であって、
前記ハンマーヘッドは、対応する前記緩衝部を介して弦を打撃する、
ことを特徴とするピアノの弱音装置。
【請求項２】
前記緩衝部に設けられた追加緩衝部材をさらに備え、
前記ハンマーヘッドは、対応する前記緩衝部と、該緩衝部に設けられた前記追加緩衝部材とを介して弦を打撃する、
ことを特徴とする請求項１に記載のピアノの弱音装置。
【請求項３】
前記追加緩衝部材の一部が、前記緩衝部材に固定されている、
ことを特徴とする請求項２に記載のピアノの弱音装置。
【請求項４】
前記追加緩衝部材は、
前記弦が張られる面と直交する軸方向から見て、対応する前記ハンマーヘッドが打撃する弦と、該弦と隣接する弦と、に重なるように位置し、
前記隣接する弦と対向する面に設けられ、対応する前記ハンマーヘッドが前記弦に接触しているときに、前記隣接する弦の少なくとも一部を非接触状態で受け入れることが可能な切り欠き部を有する、
ことを特徴とする請求項２に記載のピアノの弱音装置。
【請求項５】
前記追加緩衝部材は、フェルト材料から構成され、打弦時に弦と接触する面において、前記フェルト材料を構成する繊維が切断された繊維切断部を有する、
ことを特徴とする請求項２に記載のピアノの弱音装置。
【請求項６】
低音域の弦を打撃する前記ハンマーヘッドに対応する前記緩衝部に設けられた前記追加緩衝部材は、高音域の弦を打撃する前記ハンマーヘッドに対応する前記緩衝部に設けられた前記追加緩衝部材よりも厚い、
ことを特徴とする請求項２に記載のピアノの弱音装置。
【請求項７】
前記緩衝部は、前記追加緩衝部材が設けられる第１の緩衝部と、前記追加緩衝部材が設けられない第２の緩衝部とを含み、前記ハンマーヘッドが前記第１の緩衝部と前記追加緩衝部を介して打撃する位置と、前記ハンマーヘッドが前記第２の緩衝部を介して打撃する位置との間を移動可能である、
ことを特徴とする請求項２に記載のピアノの弱音装置。
【請求項８】
前記追加緩衝部材は、所定の厚さを有する第１の追加緩衝部と、前記所定の厚さよりも厚い第２の追加緩衝部とを含み、前記ハンマーヘッドが前記緩衝部と前記第１の追加緩衝部とを介して打撃する位置と、前記ハンマーヘッドが前記緩衝部と前記第２の追加緩衝部とを介して打撃する位置との間を移動可能である、
ことを特徴とする請求項２に記載のピアノの弱音装置。
【請求項９】
前記ピアノの弱音装置は、グランドピアノに設けられる弱音装置であって、
鍵盤の長手方向と平行に延びるように前記緩衝部に設けられる芯材をさらに備える、
ことを特徴とする請求項１に記載のピアノの弱音装置。
【請求項１０】
前記緩衝部は、鍵盤の長手方向に沿って屈伸可能である、
ことを特徴とする請求項９に記載のピアノの弱音装置。
【発明の詳細な説明】
【技術分野】
【０００１】
本発明は、ピアノの弱音装置に関する。
【背景技術】
【０００２】
従来より、アコースティックピアノにおいて、マンション・住宅密集地での演奏、または夜間の演奏等、通常の音量での演奏では騒音問題につながるため、ハンマーヘッドによりマフラーフェルト等を介して打弦して打弦時の音量を減少させ得るピアノの弱音装置が用いられている。【０００３】
例えば、特許文献１に記載の弱音装置は、弱音演奏時において、マフラーレールに設けられた緩衝部材をハンマーヘッドと弦との間に介在させ、ハンマーヘッドにより緩衝部材を介して弦を打撃させることにより、打弦時の音量を減少させている。
【先行技術文献】
【特許文献】
【０００４】
【特許文献１】特開平３−２６９５７６号公報
【発明の概要】
【発明が解決しようとする課題】
【０００５】
上記の特許文献１に記載されているような弱音装置では、一枚の緩衝部材が特定の音域の弦と接触可能に設けられている。具体的には、図１６に示すように、従来の弱音装置１０００において、マフラーレール１１１０に設けられた一枚の緩衝部材１１２０は、複数のハンマー１２２０と複数の弦（図示せず）の間に介在する。そのため、例えばハンマー１２２１が音Ｃの弦を打撃し、ハンマー１２２２が音Ｅの弦を打撃することにより、同時に２音を鳴らす場合において、緩衝部材１１２０は、音Ｃ，Ｅの弦だけでなく、音Ｃ，Ｅの弦の間にある音Ｃ♯，Ｄ，Ｅ♭の弦とも接触する。これにより、音Ｃ，Ｅの音と同時に、音Ｃ♯，Ｄ，Ｅ♭の音が多少鳴るため、不協和音が発生するという問題がある。【０００６】
また、弱音効果を高めるためには、フェルト等により形成される緩衝部材の厚みを増すことが有効である。しかし、緩衝部材の厚みを増すほど、緩衝部材の強度も大きくなる。そのため、同時に複数音を鳴らす場合において、各音の間の音の弦と緩衝部材との接触する強さも大きくなり、それにより発生する不協和音の音量も大きくなるという問題がある。【０００７】
本発明は、上述のような事情に鑑みてなされたものであり、弱音演奏時に、所望する弦以外の弦の音が鳴ることを防ぐことが可能なピアノの弱音装置を提供することを目的とする。
【課題を解決するための手段】
【０００８】
上記目的を達成するため、本発明に係るピアノ弱音装置は、
複数のハンマーヘッドの夫々と一対一に対応して並列するように設けられた複数の緩衝部を備えるピアノの弱音装置であって、
前記ハンマーヘッドは、対応する前記緩衝部を介して弦を打撃する、
ことを特徴とする。【０００９】
前記緩衝部に設けられた追加緩衝部材をさらに備え、
前記ハンマーヘッドは、対応する前記緩衝部と、該緩衝部に設けられた前記追加緩衝部材とを介して弦を打撃してもよい。【００１０】
前記追加緩衝部材の一部が、前記緩衝部材に固定されていてもよい。【００１１】
前記追加緩衝部材は、
前記弦が張られる面と直交する軸方向から見て、対応する前記ハンマーヘッドが打撃する弦と、該弦と隣接する弦と、に重なるように位置し、
前記隣接する弦と対向する面に設けられ、対応する前記ハンマーヘッドが前記弦に接触しているときに、前記隣接する弦の少なくとも一部を非接触状態で受け入れることが可能な切り欠き部を有してもよい。【００１２】
前記追加緩衝部材は、フェルト材料から構成され、打弦時に弦と接触する面において、前記フェルト材料を構成する繊維が切断された繊維切断部を有してもよい。【００１３】
低音域の弦を打撃する前記ハンマーヘッドに対応する前記緩衝部に設けられた前記追加緩衝部材は、高音域の弦を打撃する前記ハンマーヘッドに対応する前記緩衝部に設けられた前記追加緩衝部材よりも厚くてもよい。【００１４】
前記緩衝部は、前記追加緩衝部材が設けられる第１の緩衝部と、前記追加緩衝部材が設けられない第２の緩衝部とを含み、前記ハンマーヘッドが前記第１の緩衝部と前記追加緩衝部を介して打撃する位置と、前記ハンマーヘッドが前記第２の緩衝部を介して打撃する位置との間を移動可能であってもよい。【００１５】
前記追加緩衝部材は、所定の厚さを有する第１の追加緩衝部と、前記所定の厚さよりも厚い第２の追加緩衝部とを含み、前記ハンマーヘッドが前記緩衝部と前記第１の追加緩衝部とを介して打撃する位置と、前記ハンマーヘッドが前記緩衝部と前記第２の追加緩衝部とを介して打撃する位置との間を移動可能であってもよい。【００１６】
前記ピアノの弱音装置は、グランドピアノに設けられる弱音装置であって、
鍵盤の長手方向と平行に延びるように前記緩衝部に設けられる芯材をさらに備えてもよい。【００１７】
前記緩衝部は、鍵盤の長手方向に沿って屈伸可能であってもよい。
【発明の効果】
【００１８】
本発明によれば、弱音演奏時に、所望する弦以外の弦の打弦音が鳴ることを防ぐことが可能なピアノ弱音装置を提供することができる。
【図面の簡単な説明】
【００１９】
【図１】実施形態１に係る弱音装置と、弱音装置が設けられたアップライトピアノのアクション機構及びダンパー機構の要部断面図である。
【図２】実施形態１に係る弱音装置の要部斜視図である。
【図３Ａ】弱音演奏時において、ハンマーヘッドが弦を打撃する前の状態での、弦と単音緩衝部材の位置関係を表す模式図である。
【図３Ｂ】弱音演奏時において、ハンマーヘッドが弦を打撃している状態での、弦と単音緩衝部材の位置関係を表す模式図である。
【図４】前方から見た、隣接する３つの単音緩衝部材と、弦との位置関係を表す図である。
【図５】実施形態１の変形例に係る弱音装置の要部斜視図である。
【図６】実施形態２に係る弱音装置の後方から見た要部斜視図である。
【図７Ａ】単音緩衝部と追加緩衝部材の後方から見た平面図である。
【図７Ｂ】図７Ａの切断線Ａ−Ａにおける断面図を示す。
【図８Ａ】実施形態２の変形例１に係る緩衝部材及び追加緩衝部材と、弦との位置関係を表す図である。
【図８Ｂ】ハンマーヘッドが弦を打撃した時の図８Ａの切断線Ｂ−Ｂにおける要部断面図である。
【図９】追加緩衝部材の斜視図である。
【図１０Ａ】実施形態２の変形例２に係る緩衝部材と追加緩衝部材の後方から見た平面図である。
【図１０Ｂ】実施形態２の変形例２に係る緩衝部材と追加緩衝部材の後方から見た平面図である。
【図１１Ａ】実施形態２の変形例４に係る緩衝部材と追加緩衝部材の後方から見た平面図である。
【図１１Ｂ】図１１Ａの切断線Ｃ−Ｃにおける断面図である。
【図１２】実施形態３に係る弱音装置と、弱音装置が設けられたグランドピアノのアクション機構及びダンパー機構の要部断面図である。
【図１３Ａ】実施形態３に係る緩衝部の要部上面図である。
【図１３Ｂ】図１３Ａの切断線Ｄ−Ｄにおける断面図である。
【図１４Ａ】実施形態３の変形例１に係る芯材を備える緩衝部の製造方法の一例を示す図である。
【図１４Ｂ】実施形態３の変形例１に係る芯材を備える緩衝部の製造方法の一例を示す図である。
【図１５Ａ】実施形態３の変形例２に係る緩衝部の通常演奏時における状態を示す図である。
【図１５Ｂ】実施形態３の変形例２に係る緩衝部の弱音演奏時における状態を示す図である。
【図１６】従来の弱音装置の要部斜視図である。
【発明を実施するための形態】
【００２０】
以下、本発明の実施形態に係るピアノの弱音装置を、図面を参照して説明する。
【００２１】
（実施形態１）
以下、本発明の実施形態１について説明する。図１は、実施形態１に係る弱音装置１と、弱音装置１が設けられたアップライトピアノのアクション機構２及びダンパー機構３の要部断面図である。図２は、実施形態１に係る弱音装置１の要部斜視図である。
【００２２】
アクション機構２は、鍵盤４に連動して動作し、対応する弦５を打撃するものである。アクション機構２は、鍵盤４の並設方向に沿って延びるアクションレール６に設けられる。
【００２３】
また、アクション機構２は、ウィペン２１と、ハンマー２２と、ジャック２３等とから周知のように構成される。鍵盤４が押し下げられると、ウィペン２１が上昇し、ウィペン２１とともに上昇したジャック２３がハンマー２２の下端部に設けられたハンマーバット２４を突き上げる。これにより、ハンマー２２は、図１の矢印Ａ１方向（反時計回り）に回動し、ハンマー２２の上端部に設けられたハンマーヘッド２５が押鍵操作された鍵盤４に対応する弦５を打撃する。
【００２４】
ダンパー機構３は、ダンパーレバー３１と、ダンパーワイヤー３２と、ダンパーヘッド３３等とから周知のように構成される。ダンパーレバー３１は、その中間部においてアクションレール６に回動可能に軸支される。また、ダンパーレバー３１は、ダンパースプリング３４により反時計回り方向に付勢されているため、ダンパーヘッド３３が弦５と当接し、弦５の自由な振動を抑制している。この状態において、鍵盤４が押し下げられると、ウィペン２１に設けられたダンパースプーン３５がダンパーレバー３１の下端部を押圧する。そして、ダンパーレバー３１は、ダンパースプリング３４の付勢力に抗して回動し、ダンパーヘッド３３が弦５から一時的に離れる。ダンパーヘッド３３が弦５から離れている間に、ハンマーヘッド２５が弦５を打撃するため、弦５は自由な振動を抑制されることなく音を発することができる。
【００２５】
なお、上記のアクション機構２及びダンパー機構３は、従来のアップライトピアノのアクション機構及びダンパー機構と同様の構成である。
【００２６】
弱音装置１は、ハンマーヘッド２５が弦５を打撃する際にハンマーヘッド２５と弦５との間に介在することにより、ハンマーヘッド２５が弦５に与える衝撃力を減衰させ、弦５が発する音を弱めるものである。本実施形態における弱音装置１は、鍵盤４の押鍵操作に連動して動作するハンマーヘッド２５が直接弦５を打撃する通常演奏と、ハンマーヘッド２５と弦５との間に介在する緩衝部材を介してハンマーヘッド２５が弦５を打撃する弱音演奏とを選択的に切り替え可能に構成されている。なお、以下の説明において、アクション機構２から弦５に向かう方向（図１において左側）を後方、その反対方向（図１において右側）を前方として説明する。
【００２７】
図１に示すように、弱音装置１は、マフラーレール１１０と、複数の単音緩衝部材１２０と、移動装置（図示せず）を備える。
【００２８】
マフラーレール１１０は、複数の単音緩衝部材１２０を支持するためのレールであって、図１に一例として示すように、鍵盤４の並設方向に延びる断面Ｌ字形のレールである。マフラーレール１１０は、移動装置により、通常演奏時における位置（図１の二点鎖線で示される位置）と、弱音演奏時における位置（図１の実線で示される位置）とを移動可能である。
【００２９】
単音緩衝部材１２０は、弱音演奏時においてハンマーヘッド２５と弦５との間に介在し、ハンマーヘッド２５と弦５との衝突を緩和することにより弦５が発する音を弱める緩衝部として機能する。具体的には、単音緩衝部材１２０は、例えば、フェルト材料等のクッション性のあるシート材料から短冊状に形成される。
【００３０】
次に、単音緩衝部材１２０の厚さについて説明する。図３Ａ及び図３Ｂに、図１において弱音演奏時における弦５と単音緩衝部材１２０の位置関係を表す模式図を示す。図３Ａは、ハンマーヘッド２５が弦５を打撃する前の状態、図３Ｂは、ハンマーヘッド２５が単音緩衝部材１２０を介して弦５を打撃している状態を表す。図３Ａに示すように、単音緩衝部材１２０は、弱音演奏時において、弦５と所定の距離ｘ（例えば、１５ｍｍ）離れて位置する。そして、図３Ｂに示すように、ハンマーヘッド２５が単音緩衝部材１２０を介して弦５を打撃している状態において、単音緩衝部材１２０はハンマーヘッド２５に押圧されることにより弦５側に屈曲し、弦５と接触する。その後、ハンマーヘッド２５が図１に示すように時計回りに回転して初期位置に戻ると、単音緩衝部材１２０は、図３Ａに示す状態に戻る。
【００３１】
このように、単音緩衝部材１２０は、対応する鍵盤４が操作されるたびに、図３Ａに示すように下方に垂れ下がっている状態から、図３Ｂに示すように屈曲して弦５と接触し、再び図３Ａに示す状態に戻るという動作を繰り返す。従って、単音緩衝部材１２０は、このような繰り返しの屈曲動作に対する耐久性を備え、かつ屈曲した状態から屈曲前の状態にすぐに戻れる程度の柔軟性を備える厚さであることが好ましい。
【００３２】
さらに、単音緩衝部材１２０の厚さは、対応するハンマーヘッド２５が打撃する弦５の音域に応じて変えてもよい。具体的には、高音域側の弦５を打撃するハンマーヘッド２５に対応する単音緩衝部材１２０の厚さが、低音域側の弦５を打撃するハンマーヘッド２５に対応する単音緩衝部材１２０の厚さよりも薄い方が好ましい。例えば、ピアノに張られた弦５が、発する音の音域に応じて、高音域グループ、中音域グループ、低音域グループの３つのグループに分けられるとき、各グループの弦５を打撃するハンマーヘッド２５に対応する単音緩衝部材１２０は、それぞれ、１ｍｍ、２ｍｍ、２ｍｍの厚さを有する。
【００３３】
また、単音緩衝部材１２０は、図１及び図２に示すように、複数のハンマーヘッド２５の夫々と一対一に対応して並列するように、マフラーレール１１０に設けられる。例えば、８８鍵盤のピアノでは、８８個のハンマーヘッド２５に対応して８８個の単音緩衝部材１２がマフラーレール１１０に設けられる。また、単音緩衝部材１２０は、その一端部において、マフラーレール１１０の弦５と対向する面に接着剤や両面テープ等により固定される。
【００３４】
図４に、前方から見た、隣接する３つの単音緩衝部材１２０ａ〜１２０ｃと、弦５ａ〜５ｃとの位置関係を表す図を示す。弦５ａ〜５ｃは、それぞれ同じ音を発する３つの弦から構成される。この弦５ａ〜５ｃを構成する３つの弦は、対応するハンマーヘッド２５（図１参照）により同時に打撃されて１つの音を発する。また、弦５ｂが発する音は、弦５ａが発する音よりも半音低く、弦５ｃが発する音は、弦５ａが発する音よりも半音高い。そして、弱音演奏時において、単音緩衝部材１２０ａは、対応するハンマーヘッド２５と弦５ａとの間に、単音緩衝部材１２０ｂは、対応するハンマーヘッド２５と弦５ｂとの間に、単音緩衝部材１２０ｃは、対応するハンマーヘッド２５と弦５ｃとの間に、それぞれ介在する。
【００３５】
また、図４に示すように単音緩衝部材１２０ａ〜１２０ｃは、鍵盤４（図１参照）の並設方向に、互いに所定の幅ｄ（例えば、１ｍｍ）の隙間を空けて設けられる。また、単音緩衝部材１２０ａ〜１２０ｃはそれぞれ、前方から見て、対応するハンマーヘッド２５が打撃する弦５ａ〜５ｃと重なり、かつ対応するハンマーヘッド２５が打撃する弦５ａ〜５ｃと隣接する弦５ａ〜５ｃと重ならない程度の幅を有する。例えば、単音緩衝部材１２０ａは、前方から見て、弦５ａを構成する３つの弦全てと重なる。また、単音緩衝部材１２０ａは、前方から見て、隣接する弦５ｂ及び５ｃを構成するいずれの弦とも重ならない。従って、ハンマーヘッド２５が単音緩衝部材１２０ａを介して弦５ａを打撃する際、単音緩衝部材１２０ａは、ハンマーヘッド２５により押圧されて後方に移動し、弦５ａと接触するが、弦５ｂ，５ｃとは接触しない。
【００３６】
移動装置は、ユーザの操作に応じて、マフラーレール１１０を図１の矢印Ｂ１方向、すなわち上下方向に移動させるものである。具体的には、移動装置は、ペダルの操作によりマフラーレール１１０を上下方向に移動させる周知の機構により実現される。そして、例えば、ペダルが操作されていない状態において、マフラーレール１１０は、図１の二点鎖線で示される位置に位置する。また、ペダルが操作された状態において、マフラーレール１１０は、下方へ移動し、実線で示される位置に位置する。
【００３７】
次に、上述のように構成される本実施形態における弱音装置１の動作について説明する。
【００３８】
初めに、弱音演奏時における弱音装置１の動作について説明する。この場合、移動装置が操作されることにより、ハンマーヘッド２５が弦５を打撃する際に単音緩衝部材１２０がハンマーヘッド２５と弦５との間に介在するように、マフラーレール１１０及び単音緩衝部材１２０は位置する（図１の実線の位置参照）。そして、鍵盤４が押し下げられると、周知のアクション機構２により、押し下げられた鍵盤４に対応するハンマーヘッド２５が弦５に向かって回動する。そして、ハンマーヘッド２５は、対応する単音緩衝部材１２０を介して弦５を打撃する。従って、打撃された弦５が発する音は、単音緩衝部材１２０により弱められる。このとき、単音緩衝部材１２０のマフラーレール１１０に固定されていない端部は、ハンマーヘッド２５に押されて後方へ移動するが、対応するハンマーヘッド２５が打撃する弦５にのみ接触し、その弦５に隣接する弦５には接触しない。従って、押し下げられた鍵盤４に対応する弦５と隣接する弦５と単音緩衝部材１２０との接触による不協和音は発生しない。
【００３９】
次に、通常演奏時における弱音装置１の動作について説明する。この場合、移動装置が操作されることにより、ハンマーヘッド２５が弦５を打撃する際に単音緩衝部材１２０がハンマーヘッド２５と弦５との間に介在しないように、マフラーレール１１０及び単音緩衝部材１２０は位置する（図１の二点鎖線の位置参照）。そして、鍵盤４が押し下げられると、周知のアクション機構２により、押し下げられた鍵盤４に対応するハンマーヘッド２５が弦５に向かって回動する。そして、ハンマーヘッド２５は、対応する単音緩衝部材１２０を介さずに弦５を打撃する。従って、打撃された弦は、単音緩衝部材１２０により弱められることなく音を発する。
【００４０】
このように、本実施形態に係る弱音装置１は、複数のハンマーヘッド２５の夫々と一対一に対応して並列するように設けられた複数の単音緩衝部材１２０を備える。そして、弱音演奏時において、ハンマーヘッド２５は、対応する単音緩衝部材１２０を介して弦５を打撃する。このとき、単音緩衝部材１２０は、対応するハンマーヘッド２５が打撃する弦５と隣接する弦５には接触しないため、不協和音の発生を防止することができる。
【００４１】
なお、上記の実施形態１において、単音緩衝部材１２０が、１枚のシート材料から形成される例について説明したが、単音緩衝部材１２０の構成はこれに限られない。例えば、単音緩衝部材１２０は、複数枚のシート材料を重ね合わせて、形成されてもよい。これにより、１枚のシート材料から形成する場合よりも、さらにクッション性が高くなり、弱音効果を高めることができる。なお、このように複数枚のシート材料から形成された単音緩衝部材１２０の全体の厚みは、上記の実施形態１において説明した耐久性及び柔軟性の条件を満たす厚みであることが好ましい。
【００４２】
（実施形態１の変形例）
上記の実施形態１では、複数の単音緩衝部材１２０が、複数のハンマーヘッド２５の夫々と一対一に対応して並列するように設けられた緩衝部として機能する例について説明したが、緩衝部として機能するための構成はこれに限られない。以下、実施形態１の変形例として、複数の単音緩衝部を一体として有する緩衝部材を備えるピアノの弱音装置について説明する。なお、以下の説明において、実施形態１と同様の機能を有する構成については、同様の符号を用い、その詳細な説明を省略する。
【００４３】
図５に、本変形例に係る弱音装置１ａの要部斜視図を示す。図５に示すように、本変形例に係る弱音装置１ａは、実施形態１における複数の単音緩衝部材１２０の代わりに、複数の単音緩衝部１３２を一体として有する緩衝部材１３０を備える点において、実施形態１に係る弱音装置１と異なる。
【００４４】
緩衝部材１３０は、基部１３１と、複数の単音緩衝部１３２とを有し、例えば、フェルト材料等のクッション性のあるシート材料から一体的に形成される。
【００４５】
基部１３１は、マフラーレール１１０に沿って設けられ、マフラーレール１１０の弦５と対向する面に接着剤や両面テープ等により固定される。
【００４６】
単音緩衝部１３２は、複数のハンマーヘッド２５の夫々と一対一に対応して並列するように、それぞれ基部１３１から下方に延びるように形成される。また、単音緩衝部１３２は、弱音演奏時において、ハンマーヘッド２５が弦５を打撃する際にハンマーヘッド２５と弦５との間に介在し、ハンマーヘッド２５と弦５との衝突を緩和することにより弦５が発する音を弱める緩衝部として機能する。
【００４７】
また、単音緩衝部１３２は、実施形態１における単音緩衝部材１２０と同様の機能を有するように形成される。すなわち、単音緩衝部１３２は、鍵盤４の並設方向に、互いに所定の幅（例えば、１ｍｍ）の隙間を空けて形成されている。また、単音緩衝部１３２はそれぞれ、前方から見て、対応するハンマーヘッド２５が打撃する弦５と重なり、かつ対応するハンマーヘッド２５が打撃する弦５と隣接する弦５と重ならない程度の幅を有する。従って、ハンマーヘッド２５が単音緩衝部１３２を介して弦５を打撃する際、単音緩衝部１３２は、ハンマーヘッド２５により押圧されて後方に移動し、ハンマーヘッド２５が打撃する弦５と接触するが、その弦５と隣接する弦５とは接触しない。
【００４８】
以上、本変形例に係る弱音装置１ａは、実施形態１における単音緩衝部材１２０と同様の機能を有する複数の単音緩衝部１３２を備えている。従って、弱音演奏時において、ハンマーヘッド２５が対応する単音緩衝部１３２を介して弦５を打撃する際、単音緩衝部１３２は、対応するハンマーヘッド２５が打撃する弦５と隣接する弦５には接触しないため、不協和音の発生を防止することができる。
【００４９】
また、本変形例に係る弱音装置１ａは、複数の単音緩衝部１３２が一体として形成されている緩衝部材１３０を備えている。従って、複数の単音緩衝部１３２が、弱音演奏時において、それぞれ対応するハンマーヘッド２５と弦５との間に介在するように、複数の単音緩衝部１３２の位置を微調整（具体的には、１ｍｍ以下の調整）する際、緩衝部材１３０の基部１３１がマフラーレール１１０に固定される位置を微調整すればよい。そのため、実施形態１のように、複数の単音緩衝部材が一体として形成されていない場合よりも、容易に複数の単音緩衝部１３２の位置を一度に微調整することができる。
【００５０】
（実施形態２）
次に、本発明の実施形態２について説明する。実施形態２では、実施形態１の変形例に係る弱音装置１ａの緩衝部材１３０がさらに別の緩衝部材を備える例について説明する。なお、以下の説明において、上述の実施形態１及びその変形例と同様の機能を有する構成については、同様の符号を用い、その詳細な説明を省略する。
【００５１】
図６に、実施形態２に係る弱音装置１ｂの後方から見た要部斜視図を示す。図６に示すように、実施形態２に係る弱音装置１ｂは、実施形態１の変形例における複数の単音緩衝部１３２の弦５と対向する面の下端部にそれぞれ設けられた複数の追加緩衝部材１４０を備える。
【００５２】
図７Ａに、後方から見た１つの単音緩衝部１３２と追加緩衝部材１４０の平面図、図７Ｂに図７Ａの切断線Ａ−Ａにおける断面図を示す。図７Ａに示すように、追加緩衝部材１４０は、例えば、フェルト材料等のクッション性のあるシート材料から短冊状に形成される。追加緩衝部材１４０の幅は、隣接する追加緩衝部材１４０と接触しない程度の幅であり、具体的には、単音緩衝部１３２の幅と同程度、または単音緩衝部１３２よりも狭い幅である。また、図７Ｂに示すように、追加緩衝部材１４０は、緩衝部材１３０よりも厚みのある材料から形成される。
【００５３】
また、図７Ａに示すように、追加緩衝部材１４０の単音緩衝部１３２と対向する面において、その上部の面が、接着剤や両面テープ等から構成される接着部１４１により単音緩衝部１３２に固定される。従って、図７Ｂに示すように、緩衝部材１３０と追加緩衝部材１４０との間の接着部１４１が介在しない部分において、隙間１４２が形成される。
【００５４】
以上、実施形態２において、弱音装置１ｂは、複数の単音緩衝部１３２の弦５と対向する面の下端部にそれぞれ設けられた複数の追加緩衝部材１４０を備える。そのため、ハンマーヘッド２５は、緩衝部材１３０に加えてさらに追加緩衝部材１４０を介して弦５を打撃する。この際、緩衝部材１３０だけでなく、追加緩衝部材１４０もハンマーヘッド２５が有するエネルギーを吸収するため、緩衝部材１３０のみが弦５とハンマーヘッド２５との間に介在する場合よりも、さらに弱音効果を高めることができる。
【００５５】
また、追加緩衝部材１４０の一部が緩衝部材１３０に固定されているため、追加緩衝部材１４０と緩衝部材１３０の互いに固定されていない面の間には隙間１４２が形成される。従って、隙間１４２に形成された空気層が、ハンマーヘッド２５の有するエネルギーを吸収するため、緩衝部材１３０のみが弦５とハンマーヘッド２５との間に介在する場合よりも、さらに弱音効果を高めることができる。
【００５６】
また、単音緩衝部１３２に固定された追加緩衝部材１４０が重りとして作用するため、弱音演奏時において、ハンマーヘッド２５が単音緩衝部１３２及び追加緩衝部材１４０を介して弦５を打撃する際、単音緩衝部１３２は、ハンマーヘッド２５に押圧されて屈曲した後、容易に元の位置に戻ることができる。
【００５７】
なお、上記の実施形態２において、追加緩衝部材１４０の接着部１４１により緩衝部材１３０と接着される領域は、小さいほど好ましい。これにより、接着部１４１として接着剤を用いた際に、接着剤の硬化によるクッション性の減少を抑えることができる。
【００５８】
また、上記の実施形態２においては、１つの追加緩衝部材１４０が単音緩衝部１３２に設けられているが、複数の追加緩衝部材が重ねられて単音緩衝部１３２に設けられてもよい。また、重ねられた複数の追加緩衝部材は、互いにその一部において固定されていてもよい。
【００５９】
（実施形態２の変形例１）
上記の実施形態２では、追加緩衝部材１４０の形状は短冊状であるとして説明したが、追加緩衝部材１４０の形状はこれに限られない。以下、実施形態２の変形例１として、切り欠き部を有する追加緩衝部材について説明する。なお、以下の説明において、実施形態１と同様の機能を有する構成については、同様の符号を用い、その詳細な説明を省略する。
【００６０】
図８Ａに、後方から見た、本変形例に係る緩衝部材１３０及び追加緩衝部材１５０と弦５ｄ、５ｅの位置関係を表す図、図８Ｂに、ハンマーヘッド２５が弦５ｄを打撃した時の図８Ａの切断線Ｂ−Ｂにおける要部断面図、図９に追加緩衝部材１５０の斜視図を示す。一般に、弦長を確保するため、アップライトピアノにおいて、一部の弦は、図８Ａに示すように上下方向から傾斜して張られる。従って、前方から見て、単音緩衝部１３２は、対応するハンマーヘッド２５が打撃する弦５ｄだけでなく、弦５ｄと隣接する弦５ｅとも重なる。そのため、本変形例における追加緩衝部材１５０は、ハンマーヘッド２５が弦５ｄを打撃する際に、ハンマーヘッド２５により押圧されて後方へ移動した追加緩衝部材１５０と弦５ｅとの接触を防ぐための切り欠き部１５１を有する。
【００６１】
切り欠き部１５１は、弦５ｄが接触する面１５２から前方側に、かつ追加緩衝部材１５０の幅方向全体に渡って窪むように形成される。切り欠き部１５１を構成する下面１５３は、弦５ｄ、５ｅの張られる方向に沿って、上下方向に傾斜する。また、切り欠き部１５１の深さは、ハンマーヘッド２５により押圧されて後方へ移動した追加緩衝部材１５０が弦５ｅと接触しない程度の深さである。
【００６２】
このように、本変形例における追加緩衝部材１５０は切り欠き部１５１を有するため、図８Ｂに示すように、ハンマーヘッド２５が弦５ｄを打撃する時に、ハンマーヘッド２５が打撃する弦５ｄと隣接する弦５ｅと追加緩衝部材１５０とは接触せず、不協和音を防止することができる。
【００６３】
なお、追加緩衝部材１５０は、複数のフェルト材料を重ねることにより構成されてもよいが、１枚のフェルト材料から構成されることが好ましい。これにより、複数のフェルト材料を重ねて固定する際に必要とする接着剤の硬化によるクッション性の低下を防止することができる。
【００６４】
（実施形態２の変形例２）
上記の実施形態２における追加緩衝部材１４０は、弦５と接触する面に、フェルト材料を構成する繊維が切断された繊維切断部を有してもよい。図１０Ａ及び図１０Ｂに、繊維切断部の一例を有する追加緩衝部材の後方から見た平面図を示す。図１０Ａに示す追加緩衝部材１６０は、繊維切断部の一例として、弦５と接触する面に網状のスリット１６１が形成されている。スリット１６１が形成される方向は、弦５が張られる方向に対して、傾斜していることが好ましい。これにより、弱音演奏時において、追加緩衝部材１６０がハンマーヘッド２５に押圧されて弦５と接触した際に、弦５がスリット１６１内に食い込んで、緩衝部材１３０及び追加緩衝部材１６０が元の位置に戻らなくなることを防止できる。また、図１０Ｂに示す追加緩衝部材１７０は、繊維切断部の一例として、弦５と接触する面にニードリング等により形成された複数の小穴１７１が形成されている。これにより、追加緩衝部材１６０，１７０のクッション性をさらに高めることができる。
【００６５】
（実施形態２の変形例３）
上記の実施形態２において、対応するハンマーヘッド２５が打撃する弦５の音域に応じて追加緩衝部材の厚さを変えてもよい。具体的には、高音域側の弦５を打撃するハンマーヘッド２５に対応する追加緩衝部材１４０の厚さが、低音域側の弦５を打撃するハンマーヘッド２５に対応する追加緩衝部材１４０の厚さよりも薄い方が好ましい。さらに、追加緩衝部材１４０の厚さだけでなく、緩衝部材１３０の厚さも、音域に応じて変えてもよい。例えば、ピアノに張られた弦５が、発する音の音域に応じて、高音域グループ、中音域グループ、低音域グループの３つのグループに分けられるとき、各グループの弦５を打撃するハンマーヘッド２５に対応する緩衝部材１３０及び追加緩衝部材の厚さを、音域が高いグループほど薄くしてもよい。また、各音域のグループ内において、さらに音域に応じてグループ分けをし、音域が高いグループほど薄くしてもよい。弦５を音域に応じて複数のグループに分けた際の緩衝部材１３０及び追加緩衝部材１４０の厚さの一例を表１に示す。表１では、高音域グループを音域に応じて４つにグループ分けした第１〜第４の高音域グループと、中音域グループと、低音域グループとに、弦５はグループ分けされている。なお、表１に示す低音域グループでは、厚さが１ｍｍの追加緩衝部材１４０と厚さが４ｍｍの追加緩衝部材１４０とが重ね合わされている。表１において、各グループの緩衝部材１３０と追加緩衝部材１４０の厚さの合計からわかるように、音域が高いグループほど厚さの合計が薄くなるように、緩衝部材１３０と追加緩衝部材１４０の厚さが選択されている。
【００６６】
【表１】
2013080370.tif 000003
【００６７】
このように、高音域側の弦５を打撃するハンマーヘッド２５に対応する追加緩衝部材１４の厚さを、低音域側の弦５を打撃するハンマーヘッド２５に対応する追加緩衝部材１４の厚さよりも薄くすることにより、高音域における追加緩衝部材１４０による弱音効果が、低音域における追加緩衝部材１４０による弱音効果よりも小さくする。これにより、弱音後の高音域の弦が発する音と低音域の弦が発する音の音量差を小さくすることができる。
【００６８】
（実施形態２の変形例４）
上記の実施形態２において、弱音装置１ｂは、移動装置により、通常演奏及び弱音演奏の２つの演奏状態を切り替え可能に構成されている。しかし、切り替え可能な演奏状態はこれに限られない。例えば、弱音効果が異なる複数の弱音演奏を切り替え可能に構成されてもよい。図１１Ａ及び図１１Ｂに弱音効果を切り替え可能な緩衝部材及び追加緩衝部の一例を示す。図１１Ａは、本変形例に係る緩衝部材と追加緩衝部材の後方から見た平面図、図１１Ｂは、図１１Ａの切断線Ｃ−Ｃにおける断面図である。図１１Ａ及び図１１Ｂに示すように、追加緩衝部材１８０は、単音緩衝部１３２の上部に位置する。
【００６９】
また、移動装置は、緩衝部材１３０及び追加緩衝部材１８０の位置を、（１）緩衝部材１３０と追加緩衝部材１８０とがハンマーヘッド２５と弦５との間に介在する位置、（２）緩衝部材１３０がハンマーヘッド２５と弦５との間に介在する位置、（３）緩衝部材１３０及び追加緩衝部材１８０がハンマーヘッド２５と弦５との間に介在しない位置、の３つの位置に切り替え可能に構成されている。
【００７０】
これにより、本変形例に係る弱音装置は、所定の弱音効果を有する弱音演奏が可能な（１）の位置と、（１）の位置よりも弱音効果が小さい弱音演奏が可能な（２）の位置と、通常演奏が可能な（３）の位置とを切り替えることにより、弱音効果が異なる複数の弱音演奏を切り替えることが可能である。
【００７１】
また、厚さの異なる複数の追加緩衝部材１８０を、移動装置による移動方向に並べて配置し、移動装置が、緩衝部材１３０及び追加緩衝部材１８０を、各追加緩衝部１８０がハンマーヘッド２５と弦５との間に介在する位置に移動可能に構成されてもよい。これにより、弱音効果が異なる複数の弱音演奏を切り替えることが可能である。
【００７２】
（実施形態３）
上記の実施形態１，２及びこれらの変形例では、アップライトピアノの弱音装置１，１ａ，１ｂについて説明した。しかし、本発明のピアノの弱音装置を適用可能なピアノは、アップライトピアノに限られない。例えば、グランドピアノに適用してもよい。以下、本実施形態において、グランドピアノに適用される弱音装置について説明する。
【００７３】
図１２は、実施形態３に係る弱音装置１ｄと、弱音装置１ｄが設けられたグランドピアノのアクション機構２ｄ及びダンパー機構３ｄの要部断面図である。なお、グランピアノのアクション機構２ｄ及びダンパー３ｄの構成について、上記の実施形態１，２及びそれらの変形例で説明したアップライトピアノの構成と同様の機能を有する構成については、同様の符号を用い、その詳細な説明を省略する。
【００７４】
アクション機構２ａは、鍵盤４に連動して動作し、対応する弦５を打撃するものである。アクション機構２ａは、鍵盤４の並設方向に沿って延びるアクションレール６に設けられる。
【００７５】
また、アクション機構２ａは、ウィペン２１と、ハンマー２２と、ジャック２３等とから周知のように構成される。鍵盤４が押し下げられると、ウィペン２１が上昇し、ウィペン２１とともに上昇したジャック２３がハンマー２２のハンマーローラー２６を突き上げる。これにより、ハンマー２２は、図１２の矢印Ａ２方向（時計回り）に回動し、ハンマー２２の端部に設けられたハンマーヘッド２５が押鍵操作された鍵盤４に対応する弦５を打撃する。
【００７６】
ダンパー機構３ａは、ダンパーレバー３１と、ダンパーワイヤー３２と、ダンパーヘッド３３等とから周知のように構成される。ダンパーレバー３１は、ダンパーレール７に上下方向に回動可能に軸支される。ダンパーヘッド３３は、通常弦５を上から押圧し、弦５の自由な振動を抑制している。この状態において、鍵盤４が押し下げられると、ダンパーレバー３１は、ダンパースプーン３５を介して鍵盤４により反時計回りに回動する。そして、ダンパーヘッド３３は上昇し、弦５から一時的に離れる。ダンパーヘッド３３が弦５から離れている間に、ハンマーヘッド２５が弦５を打撃するため、弦５は自由な振動を抑制されることなく音を発することができる。
【００７７】
なお、上記のアクション機構２ａ及びダンパー機構３ａは、従来のグランドピアノのアクション機構及びダンパー機構と同様の構成である。
【００７８】
弱音装置１ｄは、ハンマーヘッド２５が弦５を打撃する際にハンマーヘッド２５と弦５との間に介在することにより、ハンマーヘッド２５が弦５に与える衝撃力を減衰させ、弦５が発する音を弱めるものである。弱音装置１ｄは、上記の実施形態１，２及びその変形例と同様に、通常演奏と弱音演奏とを選択的に切り替え可能に構成されている。なお、以下の説明において、アクション機構２ａから弦５に向かう方向（図１２において左側）を後方、その反対方向（図１２において右側）を前方として説明する
【００７９】
図１２に示すように、弱音装置１は、マフラーレール１１０と、緩衝部１９０と、移動装置（図示せず）とを備える。グランドピアノでは、弦５が略水平に張られているため、移動装置がマフラーレール１１０を矢印Ｂ２方向に回転させる。従って、マフラーレール１１０は、移動装置により、通常演奏時における位置（図１２の二点鎖線で示される位置）と、弱音演奏時における位置（図１２の実線で示される位置）とを移動可能である。この移動装置によるマフラーレール１１０及び緩衝部１９０の移動を除き、上記の実施形態１，２及びその変形例と同様に構成されている。
【００８０】
図１３Ａに、本実施形態に係る緩衝部１９０の要部上面図、図１３Ｂに図１３Ａの切断線Ｄ−Ｄにおける断面図を示す。図１３Ａ及び図１３Ｂに示すように、緩衝部１９０は、緩衝部材１９１と、追加緩衝部材１９２と、芯材１９３とから構成される。緩衝部材１９１及び追加緩衝部材１９２は、弦５が略水平面内に張られていることに合わせて、略水平面内に延びていることを除き、実施形態２における緩衝部材１３０及び追加緩衝部材１４０と同様に構成される。
【００８１】
芯材１９３は、例えば、厚紙、プラスチック板等の樹脂板、針金等から棒状に形成される。芯材１９３は、複数の単音緩衝部１９１ａの長手方向の略中心に沿って位置するように緩衝部材１９１に固定される。
【００８２】
このように緩衝部１９０は緩衝部材１９１が略水平方向（鍵盤４の長手方向）に延びた状態を維持可能なように芯材を備える。そのため、緩衝部材１９１が自重で垂れ下がって弱音演奏時にハンマーヘッド２５と弦５との間から外れることを防ぐことができる。
【００８３】
（実施形態３の変形例１）
上記の実施形態３において、緩衝部１９０は、棒状の芯材１９３を単音緩衝部１９１ａの中心の長手方向の略中心に沿って設けることにより形成されているが、緩衝部１９０を形成する方法はこれに限られない。図１４Ａ及び図１４Ｂに、本変形例に係る芯材を備える緩衝部の製造方法の一例を示す。まず、図１４Ａに示すように、緩衝部材１９１を構成するフェルト材料１９１ａと、同程度の大きさを有する芯材１９４を構成する厚紙１９４ｂとが、接着剤や両面テープ等により貼り合わせられる。そして、図１４Ｂに示すように、所定の間隔でスリットを形成することにより、緩衝部材１９１と芯材１９４とを一体として備える緩衝部１９０が形成される。なお、耐久性及びスリット形成の容易性の観点から、厚紙１９４ｂの厚さは、０．１〜０．２ｍｍ程度が好ましい。
【００８４】
（実施形態３の変形例２）
上記の実施形態３において、緩衝部１９０は、図１２に示すように、マフラーレール１１０の回転に伴って、下方向に延びている位置と水平方向に延びている位置との間を移動する。しかし、マフラーレール１１０の回転に伴う緩衝部１９０の動作はこれに限られない。以下、実施形態３の変形例２として、マフラーレール１１０の回転に伴って、屈伸動作をする緩衝部の例について説明する。
【００８５】
図１５Ａは、本変形例に係る緩衝部２００の通常演奏時における状態を示す図、図１５Ｂは、本変形例に係る緩衝部２００の弱音演奏時における状態を示す図である。図１５Ａ及び図１５Ｂに示すように、緩衝部２００は、緩衝部材２１０と、追加緩衝部材２２０とから構成される。緩衝部材２１０及び追加緩衝部材２２０は、図１５Ａに示すように、通常演奏時において、緩衝部材２１０が屈曲している状態であることを除き、実施形態３における緩衝部材１９１及び追加緩衝部材１９２と同様に構成される。
【００８６】
図１５Ａに示すように、マフラーレール１１０が矢印Ｂ２の方向に回転する際、緩衝部材２１０は、屈曲している状態から矢印Ｃ２方向に延びるように移動する。そして、緩衝部材２１０は、図１５Ｂに示すように、水平方向（鍵盤４の長手方向）に延びるように位置する。また、図１５Ｂに示す状態から、マフラーレール１１０が矢印Ｂ２と反対の方向に回転する際、緩衝部材２１０は、水平方向に延びている状態から、矢印Ｃ２と反対の方向に移動して、図１５Ａに示すように屈曲する。
【００８７】
緩衝部材２１０をマフラーレール１１０の回転に伴って屈伸させる方法として、例えば、緩衝部材２１０の端部に糸を設け、図１５Ａに示す矢印Ｃ２に沿って糸を引っ張ることにより、緩衝部材２１０を屈伸させてもよい。この場合、図１５Ｂのように緩衝部材２１０が水平方向に延びている状態を維持するように、糸が緩衝部材２１０の端部を矢印Ｃ２方向に引っ張っている。従って、緩衝部２００は、芯材を備えなくてもよい。また、緩衝部材２１０を屈伸させるための別の例として、緩衝部２００は、屈曲した状態と延伸した状態とに変形可能なバネ部材を芯材として備えてもよい。
【００８８】
このように緩衝部２００は、通常演奏時において、図１５Ａに示すように屈曲した状態である。実施形態３のように、通常演奏時において、緩衝部１９０が下方向に延びている状態では、追加緩衝部材の厚みによっては、ハンマーヘッド２５が追加緩衝部材１９２と接触するおそれがある。しかし、本変形例においては、緩衝部２００は、通常演奏時において、図１５Ａに示すように屈曲した状態であるため、ハンマーヘッド２５は、追加緩衝部材２２０と接触することなく、移動することができる。
【００８９】
以上、本発明の実施形態を説明したが、本発明を実施するにあたり、種々の形態による変形及び応用が可能であり、上記の実施形態１〜３及びそれらの変形例に限られない。例えば、上述した弱音装置１，１ａ〜１ｄの構成は一例であり、本発明の技術的思想の範囲内において、任意に変更及び修正が可能である。例えば、上記の実施形態及びそれらの変形例において、単音緩衝部材１２０、緩衝部材１３０，１９１及び追加緩衝部材１４０〜１８０の材質をフェルト材料として説明したが、これに限られない。これらは、例えば、紙、樹脂、ゴム、ウレタン等、ハンマーヘッド２５と弦５との間に介在してハンマーヘッド２５と弦５との衝突を緩和することが可能な材質であればよい。
【産業上の利用可能性】
【００９０】
本発明は、アップライトピアノやグランドピアノ等のアコースティックピアノを弱音する用途に好適に適用される。
【符号の説明】
【００９１】
１，１ａ〜１ｄ  弱音装置
１１０    マフラーレール
１２０，１２０ａ〜１２０ｃ  単音緩衝部材
１３０    緩衝部材
１３１    基部
１３２    単音緩衝部
１４０〜１８０    追加緩衝部材
１４１    接着部
１４２    隙間
１５１    切り欠き部
１５２    面
１５３    下面
１６１    スリット
１７１    小穴
１９０    緩衝部
１９１    緩衝部材
１９１ａ  単音緩衝部
１９１ｂ  フェルト材料
１９２    追加緩衝部材
１９３、１９４  芯材
１９４ａ  厚紙
２００    緩衝部
２１０    緩衝部材
２２０    追加緩衝部材
２，２ａ  アクション機構
２１      ウィペン
２２      ハンマー
２３      ジャック
２４      ハンマーバット
２５      ハンマーヘッド
２６      ハンマーローラー
３，３ａ  ダンパー機構
３１      ダンパーレバー
３２      ダンパーワイヤー
３３      ダンパーヘッド
３４      ダンパースプリング
３５      ダンパースプーン
４        鍵盤
５，５ａ〜５ｅ  弦
６        アクションレール
７        ダンパーレール
１０００  弱音装置
１１１０  マフラーレール
１１２０  緩衝部材
１２２０，１２２１，１２２２  ハンマー
【図１】
2013080370.tif 000004
【図２】
2013080370.tif 000005
【図３Ａ】
2013080370.tif 000006
【図３Ｂ】
2013080370.tif 000007
【図４】
2013080370.tif 000008
【図５】
2013080370.tif 000009
【図６】
2013080370.tif 000010
【図７Ａ】
2013080370.tif 000011
【図７Ｂ】
2013080370.tif 000012
【図８Ａ】
2013080370.tif 000013
【図８Ｂ】
2013080370.tif 000014
【図９】
2013080370.tif 000015
【図１０Ａ】
2013080370.tif 000016
【図１０Ｂ】
2013080370.tif 000017
【図１１Ａ】
2013080370.tif 000018
【図１１Ｂ】
2013080370.tif 000019
【図１２】
2013080370.tif 000020
【図１３Ａ】
2013080370.tif 000021
【図１３Ｂ】
2013080370.tif 000022
【図１４Ａ】
2013080370.tif 000023
【図１４Ｂ】
2013080370.tif 000024
【図１５Ａ】
2013080370.tif 000025
【図１５Ｂ】
2013080370.tif 000026
【図１６】
2013080370.tif 000027
【国際調査報告】
2013080370.tif 000028
2013080370.tif 000029
2013080370.tif 000030
2013080370.tif 000031